(57)【要約】【課題】ペットボトルから直接飲用する時に、外したキャップを一時仮置きできるペットボトルに取り付けられるキャップホルダーを提供する。【解決手段】キャップ（５）を着脱自在に保持できるように形成されたキャップ保持部（１ａ）を設けると共に、前記キャップ保持部（１ａ）をペットボトル本体（４）に巻かれたラベル（３）とペットボトル本体（４）側面の間に差し込み、支持できるように形成された差し込み部（２）を設け、ラベル（３）がペットボトル本体（４）側面に密着する力により、キャップ保持部（１ａ）を差し込み部（２）で支持できる構造としたものである。【選択図】　　図１
2004115120.tif 000002
【特許請求の範囲】
【請求項１】
キャップを着脱自在に保持できるように形成されたキャップ保持部を設けると共に、前記キャップ保持部をペットボトル本体側面に巻かれたラベルとペットボトル本体側面の間に差し込み、支持できるように形成された差し込み部を設け、前記ラベルがペットボトル本体側面に密着する力により、キャップ保持部を差し込み部で支持できることを特徴とするキャップホルダー。
【請求項２】
ペットボトル本体にキャップを着脱自在に保持できるように形成されたキャップ保持部と、このキャップ保持部本体に、収縮されてペットボトル本体側面に密着するラベルで前記キャップ保持部を支持できるように形成された止め部を設ける一方、収縮される前のラベルには、前記キャップ保持部を前記止め部により支持できるように形成された孔を設け、ラベルが収縮されてペットボトル本体側面に密着する力により、キャップ保持部を止め部で支持できることを特徴とするキャップホルダー付きペットボトル。
【請求項３】
キャップを着脱自在に保持できるように形成されたキャップ保持部と、このキャップ保持部をペットボトル本体片部で支持できるように形成された片部カバー帯、あるいは首部で支持できるように形成されたリング帯を設け、前記キャップ保持部を片部カバー帯、またはリング帯で支持できることを特徴とするキャップホルダー。
【発明の詳細な説明】
【０００１】
【発明の属する技術分野】
本発明は、飲料水やジュース等の容器として広く使用されている、ペットボトルの蓋（キャップ、以下キャップという）を外した後にキャップを一時、保持できるようしたキャップホルダーに関するものである。
【０００２】
【従来の技術】
既に出願公開されているキャップの場合には、キャップ本体を回せる回転機構を設けず、直接連結帯でキャップ本体をボトル側で支持するリングと結合させているために、キャップを回す回転が連結帯を伝わり、キャップを支持するリングまでもが回転してしまう。さらに、開ける時にはキャップ本体は持ち上がるために、連結帯はその分の長さを最低限必要とするが、連結帯の弾力性が弱い場合には、キャップを開閉する時に連結帯がキャップ側面を絡むように、遅れてリングに回転を伝えることになり開閉しづらく、また飲む時にはキャップが口元あるいは、頬に当たる。上記とは逆に連結帯の弾力性が強い場合には、キャップを開けてもキャップが注ぎ口から離れない。この場合、連結帯を指に挟んで飲むようになっている。（特許文献１参照）
【０００３】
また、キャップ付き飲料容器の場合は、ボトル本体一部の形状を変えて、ボトル本体にキャップホルダーを設けるようになっている。（特許文献２参照）
【０００４】
【特許文献１】
特開２００２−１５４５７２号公報
【特許文献２】
特開２００１−９７３８９号公報
【０００５】
【発明が解決しようとする課題】
従来、飲料水やジュース等の容器として広く使用されているペットボトルは、キャップを仮り置きできる保持機構がないために、直接ペットボトルから飲用する場合、外したキャップを置く適当な場所がなく、手に持っているか近くに置いておくしかなかった。あるいはキャップを注ぎ口に戻して、飲用するたびにキャップを外していた。
【０００６】
本発明は、ペットボトル及びキャップ本体の形状を変えることなく、ペットボトル本体に取り付けられるキャップホルダーにキャップを単独で保持できるようにし、上記のような問題点を解決する為になされたものである。
【０００７】
【課題を解決するための手段】
請求項１記載の発明は図１に示すように、キャップ（５）を着脱自在に保持できるように形成されたキャップ保持部（１ａ）を設けると共に、このキャップ保持部（１ａ）をペットボトル本体（４）に巻かれたフィルム状のラベル（３）とペットボトル本体（４）側面の間に、差し込み支持できるように形成された差し込み部（２）を設け、前記ラベル（３）がペットボトル本体（４）側面に密着する力により、キャップ保持部（１ａ）を差し込み部（２）で支持できるように構成されていることを特徴とするものである。
【０００８】
請求項２記載の発明は図２に示すように、キャップ（５）を着脱自在に保持できるように形成されたキャップ保持部（１ｂ）と、このキャップ保持部（１ｂ）本体に、収縮されてペットボトル本体（４）側面に密着するラベル（３）で前記キャップ保持部（１ｂ）を支持できるように形成された止め部（９）を設ける一方、収縮前のラベル（６）にはキャップ保持部（１ｂ）を前記止め部（９）で支持できるように形成された孔（７）を設け、収縮前のラベル（６）が収縮されてペットボトル本体（４）側面に密着する力により、止め部（９）がキャップ保持部（１ｂ）を支持できるように構成されていることを特徴とするものである。
【０００９】
請求項３記載の発明は図３と図４に示すように、キャップ（５）を着脱自在に保持できるように形成されたキャップ保持部（１ｃ）を設けると共に、このキャップ保持部（１ｃ）をペットボトル本体（４）の片部（８）で支持できるように形成された片部カバー帯（１１）、または首部（１０）で支持できるように形成されたリング帯（１２）を設け、前記キャップ保持部（１ｃ）を支持できるように構成されていることを特徴とするものである。
【００１０】
上述した、キャップ保持部（１ａ）、（１ｂ）、（１ｃ）はキャップ（５）に対応したネジ式構造としたものであり、図５、図６、図７、図８で示したキャップ保持部（１３）はキャップ（５）を簡単に着脱できるようにキャップ保持部素材とキャップ素材の柔軟性によりはめ込める、凹凸式でキャップ（５）を保持できる構造としたものである。またキャップ側面部（１５）に対応したＣ型状に形成されたキャップ保持部（１４）にキャップ（５）を保持できる構造としたものでもある。
【００１１】
以上の発明により、飲用中にはペットボトル本体に取り付けられたキャップホルダーに外したキャップを一時、仮置きさせることができ、従来のようにキャップの置き場所に困ることがなくなる。
【００１２】
【発明の実施の形態】
以下、本発明に係わるキャップホルダー並びにキャップホルダー付きペットボトルの実施の形態を、図面に基づいて説明する。
【００１３】
図１及び図５は、請求項１に記載した本発明に係わるキャップホルダーの斜視図であり、図１で示すキャップホルダー（Ａ）はポリエチレンテレフタレート等の合成樹脂素材を用いて、キャップ（５）を着脱自在に保持できるようにキャップ（５）に対応したネジ山が形成されたキャップ保持部（１ａ）を設けると共に、前記キャップ保持部（１ａ）をペットボトル本体（４）に巻かれたフィルム状のラベル（３）とペットボトル本体（４）側面の間に差し込み、支持できるように形成された差し込み部（２）を設け、前記フィルム状のラベル（３）がペットボトル本体（４）側面に密着する力により、キャップ保持部（１ａ）を差し込み部（２）で支持できる構造になっている。
【００１４】
上記したキャップ保持部（１ａ）と差し込み部（２）は、一体的に成型、または融着あるいは接着等の方法で結合してもよい。そして、ネジ式構造のキャップ保持部（１ａ）の他に、図５で示すキャップ保持部（１３）のように、キャップ保持部素材とキャップ素材の柔軟性により、キャップ（５）を簡単に着脱できるように凹凸式でキャップ（５）をはめ込み、保持できる構造としてもよい。さらにキャップ側面部（１５）に対応したＣ型状に形成されたキャップ保持部（１４）にキャップ（５）を保持できる構造としてもよい。
【００１５】
本発明は以上のような構造で、図１で示すようにキャップホルダー（Ａ）の差し込み部（２）をペットボトル本体（４）に巻かれたラベル（３）とペットボトル本体（４）側面の間に差し込み、キャップ保持部（１ａ）を支持し、飲用中は外したキャップ（５）をキャップ保持部（１ａ）に保持できるようになっている。
【００１６】
図２は、請求項２に記載した本発明に係わるキャップホルダー付きペットボトル（Ｈ）の斜視図であり、図２と図６で示すキャップホルダー（Ｂ）は、ポリエチレンテレフタレート等の合成樹脂素材を用いて、キャップ（５）を着脱自在に保持できるようにキャップ（５）に対応したネジ山が形成されたキャップ保持部（１ｂ）と、このキャップ保持部（１ｂ）本体に、収縮されてペットボトル本体（４）側面に密着するラベル（３）で前記キャップ保持部（１ｂ）を支持できるように形成された止め部（９）を設ける一方、収縮前のラベル（６）にはキャップ保持部（１ｂ）を前記止め部（９）で支持できるように形成された孔（７）を設け、収縮前のラベル（６）が収縮されてペットボトル本体（４）側面に密着する力により、止め部（９）がキャップ保持部（１ｂ）を支持できる構造になっている。
【００１７】
上記したキャップ保持部（１ｂ）と止め部（９）は、一体的に成型するのが望ましいが、融着あるいは接着等の方法で結合してもよい。
さらに、キャップ保持部（１ｂ）を収縮前のラベル（６）に予め、融着あるいは接着等の方法で結合してもよい。またネジ式構造のキャップ保持部（１ｂ）の他に、図６で示すキャップ保持部（１３）のように、キャップ保持部素材とキャップ素材の柔軟性により、キャップ（５）を簡単に着脱できるように凹凸式でキャップ（５）をはめ込み、保持できる構造としてもよい。あるいはキャップ側面部（１５）に対応したＣ型状に形成されたキャップ保持部（１４）にキャップ（５）を保持できる構造としてもよい。
【００１８】
本発明は以上のような構造で、図２で示すようにキャップホルダー（Ｂ）のキャップ保持部（１ｂ）を収縮前のラベル（６）の孔（７）に差し入れ、収縮されたラベル（３）がペットボトル本体（４）側面に密着する力により、止め部（９）がキャップ保持部（１ｂ）を支持し、飲用中には外したキャップ（５）をキャップ保持部（１ｂ）に保持できるようになっている。
【００１９】
図３及び図４、図７、図８、図９は、請求項３に記載した本発明に係わるキャップホルダーの斜視図であり、図３で示すキャップホルダー（Ｃ）はポリエチレンテレフタレート等の合成樹脂素材を用いて、キャップを着脱自在に保持できるようにキャップ（５）に対応したネジ山が形成されたキャップ保持部（１ｃ）を設けると共に、このキャップ保持部（１ｃ）を片部（８）で支持できるように片部カバー帯（１１）が形成されている。
【００２０】
上記したキャップ保持部（１ｃ）と片部カバー帯（１１）は、一体的に成型、または融着あるいは接着等の方法で結合してもよい。そして、片部カバー帯（１１）上部縁にはキャップをしたペットボトルに取り付け易く、且つ首部（１０）の凹で保持できるように波形部（１６）、あるいは図４で示すキャップホルダー（Ｄ）のような切り込み部（１７）が形成されている。
【００２１】
図４で示すキャップホルダー（Ｄ）は、上記キャップホルダー（Ｃ）がキャップ保持部（１ｃ）を片部カバー帯（１１）で支持するのに対し、首部（１０）で支持できるようにリング帯（１２）が形成されている。このキャップホルダー（Ｄ）はキャップホルダー（Ｃ）と同様にキャップ保持部（１ｃ）とリング帯（１２）は一体的に成型、または融着あるいは接着等の方法で結合してもよい。
そして、リング帯（１２）内側の縁にはキャップをしたペットボトルに取り付け易く、且つ首部（１０）で保持できるように切り込み部（１７）、あるいは図３のキャップホルダー（Ｃ）ような波形部（１６）が形成されている。
【００２２】
上記したネジ式構造のキャップ保持部（１ｃ）の他に、図７及び図８で示すキャップ保持部（１３）のように、キャップ保持部素材とキャップ素材の柔軟性により、キャップ（５）を簡単に着脱できるように凹凸式でキャップ（５）をはめ込み、保持できる構造としてもよい。またキャップ側面部（１５）に対応したＣ型状に形成されたキャップ保持部（１４）にキャップ（５）を保持できる構造としてもよい。
【００２３】
さらに、図９のキャップホルダー（Ｅ）は、図３で示したキャップホルダー（Ｃ）の構造の片部カバー帯（１１）に広告等の印刷ができるように片部カバー帯（１１）を紙製等の素材を用いた構造になっている。そして、キャップを着脱自在に保持できるようにキャップ（５）に対応したネジ山と片部カバー帯（１１）側面に結合できるように形成されたキャップ保持部（１ｄ）を設け、このキャップ保持部（１ｄ）を片部カバー帯（１１）側面に接着等の方法で結合する構造になっている。
【００２４】
本発明は以上のような構造で、図３及び図４で示すように、キャップホルダー（Ｃ）と（Ｄ）はペットボトル本体（４）上部から取り付け、キャップホルダー（Ｃ）は片部（８）でキャップホルダー（Ｄ）は首部（１０）でキャップ保持部（１ｃ）を支持し、飲用中には外したキャップ（５）をキャップ保持部（１ｃ）に保持できるようになっている。
【００２５】
また、図１０のキャップホルダー（Ｆ）はポリエチレンテレフタレート等の合成樹脂素材を用いて、キャップを着脱自在に保持できるようにキャップ（５）に対応したネジ山とペットボトル本体（４）側面に、両面テープ等で結合できるように形成されたキャップ保持部（１ｄ）を設ける。さらに、キャップ保持（１ｄ）は図１１で示すようにキャップ保持部素材とキャップ素材の柔軟性により、キャップ（５）を簡単に着脱できるように凹凸式でキャップ（５）をはめ込み、保持できるように形成されたキャップ保持部（１３）あるいはキャップ側面部（１５）に対応したＣ型状に形成されたキャップ保持部（１４）にキャップ（５）を保持できる構造としてもよい。
【００２６】
そして、キャップホルダー（Ｆ）を直接ペットボトル本体（４）に両面テープ等で結合させて、飲用中には外したキャップ（５）をキャップ保持部（１ｄ）に保持できるようになっている。
【００２７】
【発明の効果】
本発明のキャップホルダー並びにキャップホルダー付きペットボトルは、キャップ及びペットボトル本体の形状を変えることなく、取り付けられることにより新製品等の販売促進用として使用できる。
【００２８】
本発明のキャップホルダー並びにキャップホルダー付きペットボトルにより、従来のように飲用中はキャップを手に持ったり、置き場所に困ることもなくなる。
【図面の簡単な説明】
【図１】請求項１の実施例を示す斜視図である。
【図２】請求項２の実施例を示す斜視図である。
【図３】請求項３の実施例を示す斜視図である。
【図４】請求項３の実施例を示す斜視図である。
【図５】請求項１の実施例に係わる凹凸式とＣ型状のキャップ保持部の斜視図である。
【図６】請求項２の実施例に係わる凹凸式とＣ型状のキャップ保持部の斜視図である。
【図７】請求項３の実施例に係わる凹凸式とＣ型状のキャップ保持部の斜視図である。
【図８】請求項３の実施例に係わる凹凸式とＣ型状のキャップ保持部の斜視図である。
【図９】請求項３の実施例に係わる紙製等の片部カバー帯の斜視図である。
【図１０】両面テープ等で結合できるキャップホルダーの斜視図である。
【図１１】両面テープ等で結合できる凹凸式とＣ型状のキャップホルダーの斜視図である。
【符号の説明】
Ａ　　キャップホルダー　　　　　　　　　　５　　キャップ
Ｂ　　キャップホルダー　　　　　　　　　　６　　収縮前のラベル
Ｃ　　キャップホルダー　　　　　　　　　　７　　孔
Ｄ　　キャップホルダー　　　　　　　　　　８　　片部
Ｅ　　キャップホルダー　　　　　　　　　　９　　止め部
Ｆ　　キャップホルダー　　　　　　　　　１０　　首部
Ｈ　　キャップホルダー付きペットボトル　１１　　片部カバー帯
１ａ　キャップ保持部　　　　　　　　　　１２　　リング帯
１ｂ　キャップ保持部　　　　　　　　　　１３　　キャップ保持部
１ｃ　キャップ保持部　　　　　　　　　　１４　　キャップ保持部
１ｄ　キャップ保持部　　　　　　　　　　１５　　キャップ側面部
２　　差し込み部　　　　　　　　　　　　１６　　波形部
３　　ラベル　　　　　　　　　　　　　　１７　　切り込み部
４　　ペットボトル本体
【図１】
2004115120.tif 000003
【図２】
2004115120.tif 000004
【図３】
2004115120.tif 000005
【図４】
2004115120.tif 000006
【図５】
2004115120.tif 000007
【図６】
2004115120.tif 000008
【図７】
2004115120.tif 000009
【図８】
2004115120.tif 000010
【図９】
2004115120.tif 000011
【図１０】
2004115120.tif 000012
【図１１】
2004115120.tif 000013